(57)【要約】      （修正有）【課題】目土用の砂を適量排出することが可能であり、かつ、ディボットをきれいにならすことができ、構造も複雑に過ぎず低コストで製造できるゴルフ場のターフのディボット修復具を提供する。【解決手段】有底筒状で、筒状体の底部と反対側の一端に開口部を設けた容器本体部１０と、この容器本体部の開口部に装着される無底筒状の目土用砂誘導部２０とからなり、目土用砂誘導部は、その壁面の一部に略平面状の目土用砂ならし部２１を備え、目土用砂誘導部の目土出口において、目土用砂ならし部の端部が櫛状に構成され、目土用砂誘導部の筒状体が、容器本体部の底部を下側に置いた場合に、目土用砂誘導部の目土用砂ならし部の面が、上側を向くように折曲されていることを特徴とするディボット修復具１を提供する。【選択図】図１
0003203416.tif 000002
【実用新案登録請求の範囲】
【請求項１】
ゴルフ場のターフのディボットを修復する目土用の砂を収納して携帯できるように形成したゴルフ場ターフのディボット修復具であって、
有底筒状で、筒状体の底部と反対側の一端に開口部を設けた容器本体部と、
この容器本体部の開口部に装着される無底筒状の目土誘導部とからなり、
前記目土誘導部は、その壁面の一部に略平面状の目土ならし部を備え、
前記目土誘導部の目土出口において、前記目土ならし部の端部が櫛状に構成されたことを特徴とするゴルフ場ターフのディボット修復具
【請求項２】
請求項１に記載のディボット修復具において、
前記目土誘導部の筒状体が、前記容器本体部の底部を下側に置いた場合に、前記目土誘導部の前記目土ならし部の面が、上側を向くように折曲されていることを特徴とするディボット修復具。
【請求項３】
請求項１又は請求項２のいずれか１項に記載のディボット修復具において、
前記容器本体部の内部に、容器本体部の開口部から底部に向けて、容器本体部の開口部から底部までの距離より短い筒状の目土供給管が設けられていることを特徴とするディボット修復具。
【請求項４】
請求項１乃至請求項３のいずれか１項に記載のディボット修復具において、
前記目土供給管の、容器本体部の底部側に、目土供給管を軸として矢羽根状に形成された板状体からなる脚部が設けられていることを特徴とするディボット修復具。
【請求項５】
請求項１乃至請求項４のいずれか１項に記載のディボット修復具において、
前記容器本体部の外部に、ディボット修復具をゴルフ場のカートのシートの骨組みや手すりのバーなどやゴルフバッグのハンドル部などに係止することができるような湾曲部を備える取っ手が設けられていることを特徴とするディボット修復具。
【請求項６】
請求項１乃至請求項５のいずれか１項に記載のディボット修復具において、
前記目土誘導部が、前記容器本体部に回転可能に取り付けられていることを特徴とするディボット修復具。
【請求項７】
請求項１乃至請求項５のいずれか１項に記載のディボット修復具において、
前記取っ手が前記容器本体部に、前記容器本体部の周方向に回転可能に取り付けられていることを特徴とするディボット修復具。
【考案の詳細な説明】
【技術分野】
【０００１】
本考案は、ゴルフ場でボールを打ったときに、クラブがフェアウェイ上のターフを削り取ってしまうことにより生ずるディボットを修復するときに用いるゴルフ場のターフのディボット修復具に関する。
【背景技術】
【０００２】
ゴルフのプレーにおいてボールを打ったとき、クラブヘッドで芝を削り取ってしまうことがある。ゴルフ用語ではターフを取るとも呼ばれる行為で、ミスショットの際ばかりでなく、正しい打ち方でもターフは取れてしまうことがある。その削り取った後の芝生に穴が開いた状態をディボットといい、後からプレーヤーのボールがそこに嵌ってしまうと、打ちにくくなってしまう。また、芝生の表面が削り取られても、周囲の芝生から根が伸びて、新しい芝が生えてくるのだが、ディボットを放置すると、新しい芝生は凹んだままの状態で生えてきてしまい、プレーヤーにとって予期せぬ障害物となってしまい、プレーヤー間に不公平な状態が生じるという不都合が生じる。
【０００３】
そこでその穴を砂で埋め、平らにすると同時に新しい芝生が平らに生えやすい状態にしてあげることを目土というが、ゴルフ場業界が活況を呈していた時代には、多くのプレーヤーにキャディーが付き添っており、目土がプレーヤーのマナーであることを指導したり、あるいはプレーヤーに代わってディボットの修復を行ったりしていたので、フェアウェイの状態は良好に保たれていることが多かった。しかし、経済状況の変化とともに、キャディーなしのセルフプレーをするプレーヤーが増加するにつれ、マナーの指導やキャディーによるディボットの修復が行き届かなくなり、フェアウェイのターフが荒れたままになるケースが増加してきている。
【０００４】
このような問題を解決するために、ゴルフ芝ディボット保護用砂袋の下部にバネで開閉する、砂出し口を設け必要量の砂を一回の操作で排出し、袋内の砂全部を排出できる構造とすることを特徴とするゴルフディボット用砂袋が知られている（特許文献１）。
【０００５】
さらに、このような問題を解決するために、容器本体とキャップ体とからなり、キャップ体は、キャップ基体と、キャップ基体の開閉用開口部を開閉可能な蓋体とからなり、キャップ基体は、基筒部と突出片とを有し、蓋体に内蔵した開閉機構は、キャップ基体の押圧ボタンの押圧で作動し、蓋体が揺動して開閉用開口部が開くよう形成し、突出片で目土を掬い取り、容器本体内に収納できるよう構成されていることを特徴とするゴルフ用目土携帯具が知られている（特許文献２）。
【先行技術文献】
【特許文献】
【０００６】
【特許文献１】実登３０５３３４０号公報
【特許文献２】特開２０１１−２９３号公報
【考案の概要】
【考案が解決しようとする課題】
【０００７】
しかし、特許文献１に記載された開閉可能な砂出し口を設けた砂袋では、目土用の砂を出す量の微妙な調節が困難であり、また、ディボットに目土をしてから、シューズの底や、クラブの底で目土をならす作業が必要であり、また、ならす作業の際に砂袋をコース上に置いたまま忘れていってしまい、他のプレーヤーの障害となることが多いという問題があった。
【０００８】
また、開閉可能な砂出し口に、押圧ボタンの押圧で作動し、蓋体が揺動して開閉用開口部が開くよう形成された、特許文献２に記載されたゴルフ用目土携帯具においては、開閉機構が複雑で、脆弱であったり、製造コストがかさむという問題があった。
【０００９】
本考案はこのような事情に鑑みてなされたものであり、目土用の砂を適量排出することが可能であり、かつ、ディボットをきれいにならすことができ、構造も複雑に過ぎず低コストで製造できるゴルフ場のターフのディボット修復具を提供することを目的とする。
【課題を解決するための手段】
【００１０】
このような目的に応えるために本考案に係るディボット修復具（請求項１に記載の考案）は、ゴルフ場のターフのディボットを修復する目土用の砂を収納して携帯できるように形成したゴルフ場ターフのディボット修復具であって、有底筒状で、筒状体の底部と反対側の一端に開口部を設けた容器本体部と、この容器本体部の開口部に装着される無底筒状の目土誘導部とからなり、前記目土誘導部は、その壁面の一部に略平面状の目土ならし部を備え、前記目土誘導部の目土出口において、前記目土ならし部の端部が櫛状に構成されたことを特徴とする。
【００１１】
このような構成によれば、使用者は容器本体部に収納した目土用の砂を、容器本体を傾けるなどして目土誘導部に移し、目土誘導部から適量を計りながら目土用の砂をディボットに注ぐことができ、注いだ目土用の砂を、櫛状の目土ならし部の端部で整えながら目土ならし部の平面でならして、他のプレーヤーのボールがディボットに嵌ってしまうこともなく、また、芝生が伸びて再生されたときに、凹凸がない状態になるようにディボットを修復することができる。
【００１２】
本考案に係るディボット修復具（請求項２に記載の考案）は、請求項１に記載のディボット修復具において、前記目土誘導部の筒状体が、前記容器本体部の底部を下側に置いた場合に、前記目土誘導部の前記目土ならし部の面が、上側を向くように折曲されていることを特徴とする。
【００１３】
このような構成によれば、使用者が容器本体を傾けるなどして目土誘導部に移す際に、目土用の砂が一度、目土誘導部の目土ならし部の裏側部分に当たることにより、一度に多量の砂が出ていかないように適量を計りながら目土用の砂をディボットに注ぐことがさらに容易になる上に、注いだ目土用の砂を、目土ならし部の平面をディボットに押し付けやすくなるので、目土をしたディボットをならすことがさらに容易になるという利点がある。
【００１４】
本考案に係るディボット修復具（請求項３に記載の考案）は、請求項１又は請求項２のいずれか１項に記載のディボット修復具において、前記容器本体部の内部に、容器本体部の開口部から底部に向けて、容器本体部の開口部から底部までの距離より短い筒状の目土供給管が設けられていることを特徴とする。
【００１５】
このような構成によれば、使用者が容器本体を傾けるなどして目土誘導部に移す際に、目土用の砂のうち、容器本体部の底部よりのものだけが目土供給管に入るので、一度に多量の砂が出ていかないように適量を計りながら目土用の砂をディボットに注ぐことがさらに容易になるという利点がある。
【００１６】
本考案に係るディボット修復具（請求項４に記載の考案）は、請請求項１又は請求項２のいずれか１項に記載のディボット修復具において、前記目土供給管の、容器本体部の底部側に、目土供給管を軸として矢羽根状に形成された板状体からなる脚部が設けられていることを特徴とする。
【００１７】
このような構成によれば、目土用の砂が湿っている場合でも、湿っているためほぐれにくい砂が矢羽根状の脚部によってほぐされるため、目土供給管が詰まることなく、スムースに目土用の砂を供給することができるという利点がある。
【００１８】
本考案に係るディボット修復具（請求項５に記載の考案）は、請求項１乃至請求項４のいずれか１項に記載のディボット修復具において、前記容器本体部の外部に、ディボット修復具をゴルフ場のカートのシートの骨組みや手すりのバーなどやゴルフバッグのハンドル部などに係止することができるような湾曲部を備える取っ手が設けられていることを特徴とする。
【００１９】
このような構成によれば、使用者が使用後のディボット修復具を簡単にゴルフ場のカートのシートの骨組みや手すりのバーなどやゴルフバッグのハンドル部などに係止することができるので、使用後のディボット修復具をコース上に忘れて放置することがなくなるという利点がある。
【００２０】
本考案に係るディボット修復具（請求項６に記載の考案）は、請求項１乃至請求項５のいずれか１項に記載のディボット修復具において、前記目土誘導部が、前記容器本体部に回転可能に取り付けられていることを特徴とする。
【００２１】
このような構成によれば、特に容器本体部の取っ手を備えている場合において、目土ならし部をディボットに押しつけてならそうとする際に、取っ手が邪魔にならない角度に目土誘導部を回転させることにより、ディボットをならす作業に支障が生じないようにすることができるという利点がある。
【００２２】
本考案に係るディボット修復具（請求項７に記載の考案）は、請求項１乃至請求項５のいずれか１項に記載のディボット修復具において、前記取っ手が前記容器本体部に、前記容器本体部の周方向に回転可能に取り付けられていることを特徴とする。
【００２３】
このような構成によれば、目土誘導部を回転させることなく、取っ手を容器本体部の周方向に回転させることにより、目土ならし部をディボットに押しつけてならそうとする際に、取っ手が邪魔にならない角度に取っ手を回転させることにより、ディボットをならす作業に支障が生じないようにすることができるという利点がある。
【考案の効果】
【００２４】
以上説明したように本考案に係るディボット修復具によれば、適量の目土用の砂をディボットに注ぐことやディボットをならす作業が容易で、コース以上に置き忘れてしまうこともないという優れた効果がある。
【図面の簡単な説明】
【００２５】
【図１】本考案に係るディボット修復具の一実施例を示し、ディボット修復具の全体斜視図である。
【図２】図１におけるディボット修復具の目土誘導部の斜視図である。
【図３】図１におけるディボット修復具の目土誘導部の側面図である。
【図４】図１におけるディボット修復具の容器本体部の斜視図である。
【図５】本考案に係るディボット修復具の第２の実施例を示し、ディボット修復具を側面から見た断面図である。
【図６】図５におけるディボット修復具の、目土誘導部と目土誘導部の脚部を示す図である。
【図７】本考案に係る姿勢維持・矯正具の第３の実施例を示し、ディボット修復具の側面図である。
【図８】図７におけるディボット修復具の、目土誘導部を回転させた状態を示す側面図である。
【００２６】
本考案は以上のような構成であるので、これを図面に基づきながら本考案の実施の形態を説明する。
【実施例１】
【００２７】
図１乃至図４は本考案に係るディボット修復具の第１の実施例を示す。
これらの図において、全体を符号１で示すものは本考案を特徴づけるディボット修復具である。
【００２８】
図１において、本考案に係るディボット修復具１の基本構造を示している。本考案に係るディボット修復具１は、有底筒状の容器本体部１０の底部と反対側の端に、無底筒状の目土用砂誘導部２０が装着されている。目土用砂誘導部２０の壁面の一部は平面状の目土用砂ならし部２１となっており、目用砂ならし部２１の目土用の砂を排出する側の端は、櫛状に形成されて、ディボットに注がれた目土用の砂を整えやすい目土用砂ならし櫛状部となっている。
【００２９】
図２においては、目土用砂誘導部２０の構造を示し、目土誘導部２０の筒状体が、前記容器本体部１０の底部を下側に置いた場合に、目土誘導部２０の目土ならし部２１の面が上側を向くように折曲されており、目土用砂ならし部２１の開口部側の端部には、目土ならし櫛状部２２が設けられている。目土用砂の入った容器本体部１０を傾けて、容器本体部１０の中の目土用砂を排出しようとすると、目土用砂はまず目土用砂誘導部の内側の目土用砂ならし部の裏側の部分に当たって減速するので、一時の大量の目土用砂が排出されることがなく、量の調節がしやすくなる。１１側から容器本体部底部１２側に向かって、筒状の目土砂供給管１３が設けられている。
【００３０】
そして、排出されている目土用砂を、目土用砂ならし櫛状部２２によってならし、また、排出した目土用砂が多すぎた場合には、目土用砂ならし櫛状部２２によってさらい取り、容器本体部１０に戻すことができる。適量の目土ができたら、目土用砂ならし部２１の面を押しつけて面の状態を整えるように使用する。
【００３１】
図３においては、目土用砂誘導部２０の側面図により、目土誘導部２０の筒状体の折曲された構造を示し、目土用砂ならし部２１の面の延長面２３は、目土用砂誘導部２０の、容器本体部と接続する側の開口部端を周縁とする平面２４及び２４と平行な平面２５との間で、所定の角度をなすように折曲される。２３と２５とがなす劣角２６は、１５度から４５度の間であれば、目土用砂の排出量の調節においても、目土用砂をならす作業においても、使用しやすいが、特に、２５度から３５度の間が望ましい。
【００３２】
図４においては、容器本体部の構造を示し、容器本体部１０の内部には、容器本体部開口部１１側から容器本体部底部１２側に向かって、筒状の目土用砂供給管１３が設けられている。目土用砂供給管の長さは、容器本体部開口部１１と前期容器本体部底部１２の間の距離よりも短くなるように構成されている。
【００３３】
使用法としては、本体容器部１０に目土用砂を収納してから、本体容器部１０の開口部に目土用砂供給管１３を挿入する。そして目土用砂誘導部２０を本体容器部１０の開口部側に装着し、本体容器部１０部を把持して傾けると、容器本体部１０の中の目土用砂のうち、目土用砂供給管１３に入り込んだ分と、目土用砂供給管１３の端部と容器本体部底部１２との間にある分とが、目土用砂供給管１３から目土用砂誘導部２０を介して排出される。
【実施例２】
【００３４】
図５乃至図６は本考案に係るディボット修復具の第２の実施例を示す。
これらの図において、全体を符号２で示すものは本考案を特徴づけるディボット修復具である。
【００３５】
図５において、本考案に係るディボット修復具２の基本構造を示している。本考案に係るディボット修復具２は、実施例１における目土用砂供給管１３に、容器本体部１０の底部側に向って、目土用砂供給管１３を軸として板状体からなる目土用砂供給管脚部１４が矢羽根状に設けられている。
【００３６】
目土用砂が湿っていると、目土用砂同士がくっついてしまい、目土用砂供給管１３にスムースに入って行かず、目土砂の排出量の調整が難しくなるが、目土用砂供給管１３に板状体からなる目土用砂供給管脚部１４を矢羽根状に設けることにより、容器本体部をゆすると、湿った目土用砂が目土用砂供給管脚部１４によって切りほぐされて、目土用砂同士が離れるので、乾いた目土用砂のようにスムースに目土用砂供給管１３に入っていき、目土用砂の排出量の調節が容易となる。
【００３７】
図６（ａ）において示すように、目土用砂供給管脚部１４は、目土用砂供給管１３の一端に矢羽根状に取り付けられた板状体であり、目土用砂供給管１３の端部から張り出す構造となっている。
【００３８】
図６（ａ）において示すように、目土用砂供給管１３を輪切り状に切断した断面図で、目土用砂供給管脚部１４を４枚とした場合、目土用砂供給管脚部１４を目土用砂供給管１３の中心に向かって延長した面が直角に交わるようになっている。目土用砂供給管脚部１４を目土用砂供給管１３の中心に向かって延長した面同士がなす角度がそれぞれ等しくないと、容器本体１０をゆすって湿った目土用砂を切りほぐす際にムラが生じる。目土砂供給管脚部１４を３枚とした場合は、それぞれのなす角度は１２０度が望ましい。
【００３９】
図６（ａ）において示すように、目土用砂供給管脚部１４が４枚であれば、湿った目土用砂をゆすったときに目土用砂が動くことができるスペースが多いが、目土用砂供給管脚部１４を５枚以上に増やすと、容器本体１０をゆすっても湿った目土用砂が目土砂供給管脚部１４に当たってしまい、うまく切りほぐされなくなるだけでなく、製造上も煩雑になるので、目土砂供給管脚部１４は３枚乃至４枚が望ましい。
【実施例３】
【００４０】
図７乃至図８は本考案に係るディボット修復具の第３の実施例を示す。
これらの図において、全体を符号３で示すものは本考案を特徴づけるディボット修復具である。
【００４１】
図７において示すように、容器本体部１０に取っ手３０を取り付けると、容器本体部１０を直接把持するよりも、取っ手を把持する方が取り扱いが楽になる。
【００４２】
さらに、取っ手３０の容器本体部１０に取り付けた付け根部分と把持部３１との間に係止用湾曲部３２を設けることにより、ゴルフ場のカートのシートの骨組みや手すりのバーなどやゴルフバッグのハンドル部などに係止することができる。
【００４３】
目土用砂を携帯するバケツなどは、目土作業終了後にコース上に忘れられることがままあり、それを取りに戻ることでプレーが遅延するだけでなく、放置されていれば、コース上の想定外の障害物となって、他のプレーヤーに迷惑をかけることになるが、手軽にカートやバッグに係止することができれば、忘れにくくなるという利点がある。
【００４４】
図８で示すのは、図７に示したような取っ手３０と目土用砂ならし部２１との位置関係では、目土用砂が盛り上がってしまった場合にならすのに不便な角度となるため、目土用砂誘導部２０を回転可能に容器本体部１０に取り付けて回転させた状態である。
【００４５】
容器本体部１０の開口部側を、外側が雄ネジ状となった突起状に形成し、目土用砂誘導部２０の容器本体部１０側の開口部を二重構造とし、内側を雌ネジ状に形成し、外側と内側が回転可能に嵌合された構造とする。前記二重構造にストッパーを設けて、所定の角度で固定できるようにしておくと、目土作業中に目土用砂誘導部２０が揺動することがなく、使い勝手が良くなる。
【００４６】
このような構造のバリエーションとして、容器本体部１０の開口部側を、外側が雄ネジ状となった突起状に形成し、目土用砂誘導部２０の容器本体部１０側の開口部を、その内側が雌ネジ状に形成された構造として、容器本体部１０に取っ手３０を取り付ける構造を、取っ手が容器本体部の周方向に回転可能にすることにより、目土用砂誘導部２０の容器本体部１０側の開口部を二重構造とするよりも簡単な構造で、取っ手３０と目土用砂ならし部２１との角度を変えることができる。
【００４７】
例えば、取っ手の容器本体部１０側を軟質樹脂からなる環状構造体とし、容器本体部の太さを、容器本体部開口部１１から容器本体部底部に向かって徐々に太くしてから、所定の部位を過ぎてから徐々に細くなるように形成し、前記環状構造体の内径を、容器本体部開口部１１外径よりは大きく、容器本体部の最太部よりは小さく形成することにより、前記環状構造体を容器本体部１０の開口部側に移動すると、取っ手３０は容器本体部１０の周方向に回転可能となり、前記環状構造体を、容器本体部１０の最太部方向に移動することにより、容器本体部１０は、前記環状構造体に嵌合された状態となって、取っ手ごと容器本体部１０に固定される。
【００４８】
なお、本考案は上述した実施の形態で説明した構造には限定されず、各部の構成等を適宜変更し得ることはいうまでもない。
【００４９】
例えば、取っ手の構造には係止用湾曲部を備えていないとしても、取っ手に紐状部材でフックを取り付けて、そのフックでカートやバッグにディボット修復具を係止してもよい。また、目土用砂誘導部と、取っ手の両方が回転可能に設けられていてもよい。さらに、目土用砂ならし部の面に凹凸の溝を設けて、目土用の砂をならす際に溝にそってならす構造にしてもよい。本体容器部は、開口部から底部に向かって一度太くなってから、手で握りやすいように中央部がくびれて、底部に向けてまた太くなるようにすれば、取っ手がなくても片手で目土用砂排出し、ならすことができる。以上記載したものも本考案の範囲に含まれるものである。
【符号の説明】
【００５０】
１  第１実施例のディボット修復具
２  第２実施例のディボット修復具
３  第３実施例のディボット修復具
１０  容器本体部
１１  容器本体部開口部
１２  容器本体部底部
１３  目土用砂供給管
１４  目土用砂供給管脚部
２０  目土用砂誘導部
２１  目土用砂ならし部
２２  目土用砂ならし櫛状部
２３  目土用砂ならし部の面の延長面
２４  目土用砂誘導部の、容器本体部と接続する側の開口部端を周縁とする平面
２５  ２４と平行な平面
２６  ２３と２５とがなす劣角
３０  取っ手
３１  把持部
３２  係止用湾曲部
【図１】
0003203416.tif 000003
【図２】
0003203416.tif 000004
【図３】
0003203416.tif 000005
【図４】
0003203416.tif 000006
【図５】
0003203416.tif 000007
【図６】
0003203416.tif 000008
【図７】
0003203416.tif 000009
【図８】
0003203416.tif 000010
【手続補正書】
【提出日】平成28年1月28日(2016.1.28)
【手続補正１】
【補正対象書類名】明細書
【補正対象項目名】全文
【補正方法】変更
【補正の内容】
【考案の詳細な説明】
【技術分野】
【０００１】
本考案は、ゴルフ場でボールを打ったときに、クラブがフェアウェイ上のターフを削り取ってしまうことにより生ずるディボットを修復するときに用いるゴルフ場のターフのディボット修復具に関する。
【背景技術】
【０００２】
ゴルフのプレーにおいてボールを打ったとき、クラブヘッドで芝を削り取ってしまうことがある。ゴルフ用語ではターフを取るとも呼ばれる行為で、ミスショットの際ばかりでなく、正しい打ち方でもターフは取れてしまうことがある。その削り取った後の芝生に穴が開いた状態をディボットといい、後からプレーヤーのボールがそこに嵌ってしまうと、打ちにくくなってしまう。また、芝生の表面が削り取られても、周囲の芝生から根が伸びて、新しい芝が生えてくるのだが、ディボットを放置すると、新しい芝生は凹んだままの状態で生えてきてしまい、プレーヤーにとって予期せぬ障害物となってしまい、プレーヤー間に不公平な状態が生じるという不都合が生じる。
【０００３】
そこでその穴を砂で埋め、平らにすると同時に新しい芝生が平らに生えやすい状態にしてあげることを目土というが、ゴルフ場業界が活況を呈していた時代には、多くのプレーヤーにキャディーが付き添っており、目土がプレーヤーのマナーであることを指導したり、あるいはプレーヤーに代わってディボットの修復を行ったりしていたので、フェアウェイの状態は良好に保たれていることが多かった。しかし、経済状況の変化とともに、キャディーなしのセルフプレーをするプレーヤーが増加するにつれ、マナーの指導やキャディーによるディボットの修復が行き届かなくなり、フェアウェイのターフが荒れたままになるケースが増加してきている。
【０００４】
このような問題を解決するために、ゴルフ芝ディボット保護用砂袋の下部にバネで開閉する、砂出し口を設け必要量の砂を一回の操作で排出し、袋内の砂全部を排出できる構造とすることを特徴とするゴルフディボット用砂袋が知られている（特許文献１）。
【０００５】
さらに、このような問題を解決するために、容器本体とキャップ体とからなり、キャップ体は、キャップ基体と、キャップ基体の開閉用開口部を開閉可能な蓋体とからなり、キャップ基体は、基筒部と突出片とを有し、蓋体に内蔵した開閉機構は、キャップ基体の押圧ボタンの押圧で作動し、蓋体が揺動して開閉用開口部が開くよう形成し、突出片で目土を掬い取り、容器本体内に収納できるよう構成されていることを特徴とするゴルフ用目土携帯具が知られている（特許文献２）。
【先行技術文献】
【特許文献】
【０００６】
【特許文献１】実登３０５３３４０号公報
【特許文献２】特開２０１１−２９３号公報
【考案の概要】
【考案が解決しようとする課題】
【０００７】
しかし、特許文献１に記載された開閉可能な砂出し口を設けた砂袋では、目土用の砂を出す量の微妙な調節が困難であり、また、ディボットに目土をしてから、シューズの底や、クラブの底で目土をならす作業が必要であり、また、ならす作業の際に砂袋をコース上に置いたまま忘れていってしまい、他のプレーヤーの障害となることが多いという問題があった。
【０００８】
また、開閉可能な砂出し口に、押圧ボタンの押圧で作動し、蓋体が揺動して開閉用開口部が開くよう形成された、特許文献２に記載されたゴルフ用目土携帯具においては、開閉機構が複雑で、脆弱であったり、製造コストがかさむという問題があった。
【０００９】
本考案はこのような事情に鑑みてなされたものであり、目土用の砂を適量排出することが可能であり、かつ、ディボットをきれいにならすことができ、構造も複雑に過ぎず低コストで製造できるゴルフ場のターフのディボット修復具を提供することを目的とする。
【課題を解決するための手段】
【００１０】
このような目的に応えるために本考案に係るディボット修復具（請求項１に記載の考案）は、ゴルフ場のターフのディボットを修復する目土用の砂を収納して携帯できるように形成したゴルフ場ターフのディボット修復具であって、有底筒状で、筒状体の底部と反対側の一端に開口部を設けた容器本体部と、この容器本体部の開口部に装着される無底筒状の目土誘導部とからなり、前記目土誘導部は、その壁面の一部に略平面状の目土ならし部を備え、前記目土誘導部の目土出口において、前記目土ならし部の端部が櫛状に構成されたことを特徴とする。
【００１１】
このような構成によれば、使用者は容器本体部に収納した目土用の砂を、容器本体を傾けるなどして目土誘導部に移し、目土誘導部から適量を計りながら目土用の砂をディボットに注ぐことができ、注いだ目土用の砂を、櫛状の目土ならし部の端部で整えながら目土ならし部の平面でならして、他のプレーヤーのボールがディボットに嵌ってしまうこともなく、また、芝生が伸びて再生されたときに、凹凸がない状態になるようにディボットを修復することができる。
【００１２】
本考案に係るディボット修復具（請求項２に記載の考案）は、請求項１に記載のディボット修復具において、前記目土誘導部の筒状体が、前記容器本体部の底部を下側に置いた場合に、前記目土誘導部の前記目土ならし部の面が、上側を向くように折曲されていることを特徴とする。
【００１３】
このような構成によれば、使用者が容器本体を傾けるなどして目土誘導部に移す際に、目土用の砂が一度、目土誘導部の目土ならし部の裏側部分に当たることにより、一度に多量の砂が出ていかないように適量を計りながら目土用の砂をディボットに注ぐことがさらに容易になる上に、注いだ目土用の砂を、目土ならし部の平面をディボットに押し付けやすくなるので、目土をしたディボットをならすことがさらに容易になるという利点がある。
【００１４】
本考案に係るディボット修復具（請求項３に記載の考案）は、請求項１又は請求項２のいずれか１項に記載のディボット修復具において、前記容器本体部の内部に、容器本体部の開口部から底部に向けて、容器本体部の開口部から底部までの距離より短い筒状の目土供給管が設けられていることを特徴とする。
【００１５】
このような構成によれば、使用者が容器本体を傾けるなどして目土誘導部に移す際に、目土用の砂のうち、容器本体部の底部よりのものだけが目土供給管に入るので、一度に多量の砂が出ていかないように適量を計りながら目土用の砂をディボットに注ぐことがさらに容易になるという利点がある。
【００１６】
本考案に係るディボット修復具（請求項４に記載の考案）は、請請求項３に記載のディボット修復具において、前記目土供給管の、容器本体部の底部側に、目土供給管を軸として矢羽根状に形成された板状体からなる脚部が設けられていることを特徴とする。
【００１７】
このような構成によれば、目土用の砂が湿っている場合でも、湿っているためほぐれにくい砂が矢羽根状の脚部によってほぐされるため、目土供給管が詰まることなく、スムースに目土用の砂を供給することができるという利点がある。
【００１８】
本考案に係るディボット修復具（請求項５に記載の考案）は、請求項１乃至請求項４のいずれか１項に記載のディボット修復具において、前記容器本体部の外部に、ディボット修復具をゴルフ場のカートのシートの骨組みや手すりのバーなどやゴルフバッグのハンドル部などに係止することができるような湾曲部を備える取っ手が設けられていることを特徴とする。
【００１９】
このような構成によれば、使用者が使用後のディボット修復具を簡単にゴルフ場のカートのシートの骨組みや手すりのバーなどやゴルフバッグのハンドル部などに係止することができるので、使用後のディボット修復具をコース上に忘れて放置することがなくなるという利点がある。
【００２０】
本考案に係るディボット修復具（請求項６に記載の考案）は、請求項１乃至請求項５のいずれか１項に記載のディボット修復具において、前記目土誘導部が、前記容器本体部に回転可能に取り付けられていることを特徴とする。
【００２１】
このような構成によれば、特に容器本体部の取っ手を備えている場合において、目土ならし部をディボットに押しつけてならそうとする際に、取っ手が邪魔にならない角度に目土誘導部を回転させることにより、ディボットをならす作業に支障が生じないようにすることができるという利点がある。
【００２２】
本考案に係るディボット修復具（請求項７に記載の考案）は、請求項５に記載のディボット修復具において、前記取っ手が前記容器本体部に、前記容器本体部の周方向に回転可能に取り付けられていることを特徴とする。
【００２３】
このような構成によれば、目土誘導部を回転させることなく、取っ手を容器本体部の周方向に回転させることにより、目土ならし部をディボットに押しつけてならそうとする際に、取っ手が邪魔にならない角度に取っ手を回転させることにより、ディボットをならす作業に支障が生じないようにすることができるという利点がある。
【考案の効果】
【００２４】
以上説明したように本考案に係るディボット修復具によれば、適量の目土用の砂をディボットに注ぐことやディボットをならす作業が容易で、コース以上に置き忘れてしまうこともないという優れた効果がある。
【図面の簡単な説明】
【００２５】
【図１】本考案に係るディボット修復具の一実施例を示し、ディボット修復具の全体斜視図である。
【図２】図１におけるディボット修復具の目土誘導部の斜視図である。
【図３】図１におけるディボット修復具の目土誘導部の側面図である。
【図４】図１におけるディボット修復具の容器本体部の斜視図である。
【図５】本考案に係るディボット修復具の第２の実施例を示し、ディボット修復具を側面から見た断面図である。
【図６】図５におけるディボット修復具の、目土誘導部と目土誘導部の脚部を示す図である。
【図７】本考案に係る姿勢維持・矯正具の第３の実施例を示し、ディボット修復具の側面図である。
【図８】図７におけるディボット修復具の、目土誘導部を回転させた状態を示す側面図である。
【００２６】
本考案は以上のような構成であるので、これを図面に基づきながら本考案の実施の形態を説明する。
【実施例１】
【００２７】
図１乃至図４は本考案に係るディボット修復具の第１の実施例を示す。
これらの図において、全体を符号１で示すものは本考案を特徴づけるディボット修復具である。
【００２８】
図１において、本考案に係るディボット修復具１の基本構造を示している。本考案に係るディボット修復具１は、有底筒状の容器本体部１０の底部と反対側の端に、無底筒状の目土用砂誘導部２０が装着されている。目土用砂誘導部２０の壁面の一部は平面状の目土用砂ならし部２１となっており、目用砂ならし部２１の目土用の砂を排出する側の端は、櫛状に形成されて、ディボットに注がれた目土用の砂を整えやすい目土用砂ならし櫛状部となっている。
【００２９】
図２においては、目土用砂誘導部２０の構造を示し、目土誘導部２０の筒状体が、前記容器本体部１０の底部を下側に置いた場合に、目土誘導部２０の目土ならし部２１の面が上側を向くように折曲されており、目土用砂ならし部２１の開口部側の端部には、目土ならし櫛状部２２が設けられている。目土用砂の入った容器本体部１０を傾けて、容器本体部１０の中の目土用砂を排出しようとすると、目土用砂はまず目土用砂誘導部の内側の目土用砂ならし部の裏側の部分に当たって減速するので、一時の大量の目土用砂が排出されることがなく、量の調節がしやすくなる。１１側から容器本体部底部１２側に向かって、筒状の目土砂供給管１３が設けられている。
【００３０】
そして、排出されている目土用砂を、目土用砂ならし櫛状部２２によってならし、また、排出した目土用砂が多すぎた場合には、目土用砂ならし櫛状部２２によってさらい取り、容器本体部１０に戻すことができる。適量の目土ができたら、目土用砂ならし部２１の面を押しつけて面の状態を整えるように使用する。
【００３１】
図３においては、目土用砂誘導部２０の側面図により、目土誘導部２０の筒状体の折曲された構造を示し、目土用砂ならし部２１の面の延長面２３は、目土用砂誘導部２０の、容器本体部と接続する側の開口部端を周縁とする平面２４及び２４と平行な平面２５との間で、所定の角度をなすように折曲される。２３と２５とがなす劣角２６は、１５度から４５度の間であれば、目土用砂の排出量の調節においても、目土用砂をならす作業においても、使用しやすいが、特に、２５度から３５度の間が望ましい。
【００３２】
図４においては、容器本体部の構造を示し、容器本体部１０の内部には、容器本体部開口部１１側から容器本体部底部１２側に向かって、筒状の目土用砂供給管１３が設けられている。目土用砂供給管の長さは、容器本体部開口部１１と前期容器本体部底部１２の間の距離よりも短くなるように構成されている。
【００３３】
使用法としては、本体容器部１０に目土用砂を収納してから、本体容器部１０の開口部に目土用砂供給管１３を挿入する。そして目土用砂誘導部２０を本体容器部１０の開口部側に装着し、本体容器部１０部を把持して傾けると、容器本体部１０の中の目土用砂のうち、目土用砂供給管１３に入り込んだ分と、目土用砂供給管１３の端部と容器本体部底部１２との間にある分とが、目土用砂供給管１３から目土用砂誘導部２０を介して排出される。
【実施例２】
【００３４】
図５乃至図６は本考案に係るディボット修復具の第２の実施例を示す。
これらの図において、全体を符号２で示すものは本考案を特徴づけるディボット修復具である。
【００３５】
図５において、本考案に係るディボット修復具２の基本構造を示している。本考案に係るディボット修復具２は、実施例１における目土用砂供給管１３に、容器本体部１０の底部側に向って、目土用砂供給管１３を軸として板状体からなる目土用砂供給管脚部１４が矢羽根状に設けられている。
【００３６】
目土用砂が湿っていると、目土用砂同士がくっついてしまい、目土用砂供給管１３にスムースに入って行かず、目土砂の排出量の調整が難しくなるが、目土用砂供給管１３に板状体からなる目土用砂供給管脚部１４を矢羽根状に設けることにより、容器本体部をゆすると、湿った目土用砂が目土用砂供給管脚部１４によって切りほぐされて、目土用砂同士が離れるので、乾いた目土用砂のようにスムースに目土用砂供給管１３に入っていき、目土用砂の排出量の調節が容易となる。
【００３７】
図６（ａ）において示すように、目土用砂供給管脚部１４は、目土用砂供給管１３の一端に矢羽根状に取り付けられた板状体であり、目土用砂供給管１３の端部から張り出す構造となっている。
【００３８】
図６（ａ）において示すように、目土用砂供給管１３を輪切り状に切断した断面図で、目土用砂供給管脚部１４を４枚とした場合、目土用砂供給管脚部１４を目土用砂供給管１３の中心に向かって延長した面が直角に交わるようになっている。目土用砂供給管脚部１４を目土用砂供給管１３の中心に向かって延長した面同士がなす角度がそれぞれ等しくないと、容器本体１０をゆすって湿った目土用砂を切りほぐす際にムラが生じる。目土砂供給管脚部１４を３枚とした場合は、それぞれのなす角度は１２０度が望ましい。
【００３９】
図６（ａ）において示すように、目土用砂供給管脚部１４が４枚であれば、湿った目土用砂をゆすったときに目土用砂が動くことができるスペースが多いが、目土用砂供給管脚部１４を５枚以上に増やすと、容器本体１０をゆすっても湿った目土用砂が目土砂供給管脚部１４に当たってしまい、うまく切りほぐされなくなるだけでなく、製造上も煩雑になるので、目土砂供給管脚部１４は３枚乃至４枚が望ましい。
【実施例３】
【００４０】
図７乃至図８は本考案に係るディボット修復具の第３の実施例を示す。
これらの図において、全体を符号３で示すものは本考案を特徴づけるディボット修復具である。
【００４１】
図７において示すように、容器本体部１０に取っ手３０を取り付けると、容器本体部１０を直接把持するよりも、取っ手を把持する方が取り扱いが楽になる。
【００４２】
さらに、取っ手３０の容器本体部１０に取り付けた付け根部分と把持部３１との間に係止用湾曲部３２を設けることにより、ゴルフ場のカートのシートの骨組みや手すりのバーなどやゴルフバッグのハンドル部などに係止することができる。
【００４３】
目土用砂を携帯するバケツなどは、目土作業終了後にコース上に忘れられることがままあり、それを取りに戻ることでプレーが遅延するだけでなく、放置されていれば、コース上の想定外の障害物となって、他のプレーヤーに迷惑をかけることになるが、手軽にカートやバッグに係止することができれば、忘れにくくなるという利点がある。
【００４４】
図８で示すのは、図７に示したような取っ手３０と目土用砂ならし部２１との位置関係では、目土用砂が盛り上がってしまった場合にならすのに不便な角度となるため、目土用砂誘導部２０を回転可能に容器本体部１０に取り付けて回転させた状態である。
【００４５】
容器本体部１０の開口部側を、外側が雄ネジ状となった突起状に形成し、目土用砂誘導部２０の容器本体部１０側の開口部を二重構造とし、内側を雌ネジ状に形成し、外側と内側が回転可能に嵌合された構造とする。前記二重構造にストッパーを設けて、所定の角度で固定できるようにしておくと、目土作業中に目土用砂誘導部２０が揺動することがなく、使い勝手が良くなる。
【００４６】
このような構造のバリエーションとして、容器本体部１０の開口部側を、外側が雄ネジ状となった突起状に形成し、目土用砂誘導部２０の容器本体部１０側の開口部を、その内側が雌ネジ状に形成された構造として、容器本体部１０に取っ手３０を取り付ける構造を、取っ手が容器本体部の周方向に回転可能にすることにより、目土用砂誘導部２０の容器本体部１０側の開口部を二重構造とするよりも簡単な構造で、取っ手３０と目土用砂ならし部２１との角度を変えることができる。
【００４７】
例えば、取っ手の容器本体部１０側を軟質樹脂からなる環状構造体とし、容器本体部の太さを、容器本体部開口部１１から容器本体部底部に向かって徐々に太くしてから、所定の部位を過ぎてから徐々に細くなるように形成し、前記環状構造体の内径を、容器本体部開口部１１外径よりは大きく、容器本体部の最太部よりは小さく形成することにより、前記環状構造体を容器本体部１０の開口部側に移動すると、取っ手３０は容器本体部１０の周方向に回転可能となり、前記環状構造体を、容器本体部１０の最太部方向に移動することにより、容器本体部１０は、前記環状構造体に嵌合された状態となって、取っ手ごと容器本体部１０に固定される。
【００４８】
なお、本考案は上述した実施の形態で説明した構造には限定されず、各部の構成等を適宜変更し得ることはいうまでもない。
【００４９】
例えば、取っ手の構造には係止用湾曲部を備えていないとしても、取っ手に紐状部材でフックを取り付けて、そのフックでカートやバッグにディボット修復具を係止してもよい。また、目土用砂誘導部と、取っ手の両方が回転可能に設けられていてもよい。さらに、目土用砂ならし部の面に凹凸の溝を設けて、目土用の砂をならす際に溝にそってならす構造にしてもよい。本体容器部は、開口部から底部に向かって一度太くなってから、手で握りやすいように中央部がくびれて、底部に向けてまた太くなるようにすれば、取っ手がなくても片手で目土用砂排出し、ならすことができる。以上記載したものも本考案の範囲に含まれるものである。
【符号の説明】
【００５０】
１  第１実施例のディボット修復具
２  第２実施例のディボット修復具
３  第３実施例のディボット修復具
１０  容器本体部
１１  容器本体部開口部
１２  容器本体部底部
１３  目土用砂供給管
１４  目土用砂供給管脚部
２０  目土用砂誘導部
２１  目土用砂ならし部
２２  目土用砂ならし櫛状部
２３  目土用砂ならし部の面の延長面
２４  目土用砂誘導部の、容器本体部と接続する側の開口部端を周縁とする平面
２５  ２４と平行な平面
２６  ２３と２５とがなす劣角
３０  取っ手
３１  把持部
３２  係止用湾曲部
【手続補正２】
【補正対象書類名】実用新案登録請求の範囲
【補正対象項目名】全文
【補正方法】変更
【補正の内容】
【実用新案登録請求の範囲】
【請求項１】
ゴルフ場のターフのディボットを修復する目土用の砂を収納して携帯できるように形成したゴルフ場ターフのディボット修復具であって、
有底筒状で、筒状体の底部と反対側の一端に開口部を設けた容器本体部と、
この容器本体部の開口部に装着される無底筒状の目土誘導部とからなり、
前記目土誘導部は、その壁面の一部に略平面状の目土ならし部を備え、
前記目土誘導部の目土出口において、前記目土ならし部の端部が櫛状に構成されたことを特徴とするゴルフ場ターフのディボット修復具
【請求項２】
請求項１に記載のディボット修復具において、
前記目土誘導部の筒状体が、前記容器本体部の底部を下側に置いた場合に、前記目土誘導部の前記目土ならし部の面が、上側を向くように折曲されていることを特徴とするディボット修復具。
【請求項３】
請求項１又は請求項２のいずれか１項に記載のディボット修復具において、
前記容器本体部の内部に、容器本体部の開口部から底部に向けて、容器本体部の開口部から底部までの距離より短い筒状の目土供給管が設けられていることを特徴とするディボット修復具。
【請求項４】
請求項３に記載のディボット修復具において、
前記目土供給管の、容器本体部の底部側に、目土供給管を軸として矢羽根状に形成された板状体からなる脚部が設けられていることを特徴とするディボット修復具。
【請求項５】
請求項１乃至請求項４のいずれか１項に記載のディボット修復具において、
前記容器本体部の外部に、ディボット修復具をゴルフ場のカートのシートの骨組みや手すりのバーなどやゴルフバッグのハンドル部などに係止することができるような湾曲部を備える取っ手が設けられていることを特徴とするディボット修復具。
【請求項６】
請求項１乃至請求項５のいずれか１項に記載のディボット修復具において、
前記目土誘導部が、前記容器本体部に回転可能に取り付けられていることを特徴とするディボット修復具。
【請求項７】
請求項５に記載のディボット修復具において、
前記取っ手が前記容器本体部に、前記容器本体部の周方向に回転可能に取り付けられていることを特徴とするディボット修復具。